(57)【要約】【課題】      可視光線下で一見しただけでは模倣できない高度なセキュリティを提供する光回折構造を有する画像の形成方法等を提供する。を提供する。【解決手段】  光回折構造転写シート５０から、光回折構造５１ｂを含む光回折構造層５１を被転写体１００へその被転写体の特定領域３２、４２を避けて転写する光回折構造転写工程と、可視光下では視認できないインクで構成された不可視インク部を含むインク層３６が基材シート３４上に積層されたインク転写シート３３から、インク層３６を特定領域３２、４２へ転写するインク転写工程と、を有する。【選択図】    図１
2005288868.tif 000002
【特許請求の範囲】
【請求項１】
光回折構造転写シートから、光回折構造を含む光回折構造層を被転写体へその被転写体の特定領域を避けて転写する光回折構造転写工程と、
可視光下では視認できないインクで構成された不可視インク部を含むインク層が基材シート上に積層されたインク転写シートから、前記インク層を前記特定領域へ転写するインク転写工程と、
を有することを特徴とする光回折構造を有する画像の形成方法。
【請求項２】
前記インク転写工程にて前記インク層が転写された後に、前記光回折構造転写工程にて、前記光回折構造層を転写する、ことを特徴とする請求項１に記載の画像形成方法。
【請求項３】
前記基材シート上には前記インク層を含む転写層が積層され、前記インク転写工程にて、前記転写層の表面に離型剤が含有されている層が残るように、前記転写層を前記被転写体へ転写する、ことを特徴とする請求項２に記載の画像形成方法。
【請求項４】
前記光回折構造転写工程にて前記光回折構造層が転写された後、前記インク転写工程にて前記インク層を転写すること、を特徴とする請求項１に記載の画像形成方法。
【請求項５】
前記特定領域は線状の形状を有することを特徴とする請求項１〜４のいずれか１項に記載の画像形成方法。
【請求項６】
可視光線下では視認できないインクで構成された不可視インク部を含むインク層が特定領域に設けられ、かつ光回折構造を含む光回折構造層が前記特定領域を避けるように設けられている画像を有する記録物。
【発明の詳細な説明】
【技術分野】
【０００１】
本発明は、光回折構造を含む画像の形成方法及び光回折構造を含む画像を有する記録物に関する。
【背景技術】
【０００２】
印刷情報と光回折構造とが含まれた画像の形成方法は、情報改ざんのセキュリテイ対策として広く知られている。例えば被転写体に所定の情報を先に印刷しておき、その情報上へ被転写体へ光回折構造転写シートの光回折構造が設けられた層を転写する方法が知られている（例えば特許文献１）。
【０００３】
【特許文献１】特開平８−１１８８５７
【発明の開示】
【発明が解決しようとする課題】
【０００４】
しかし、上述した方法では、画像が全て可視光線下で視認できるものであるため、一見すると同様な画像を模倣されるおそれがある。
【０００５】
そこで、本発明は、可視光線下で一見しただけでは模倣できない高度なセキュリティを提供する光回折構造を有する画像の形成方法等を提供することを目的とする。
【課題を解決するための手段】
【０００６】
本発明は、以下の方法により上述した課題を解決する。なお、本発明の理解を容易にするために添付図面の参照符号を括弧書きにて付記するが、それにより本発明が図示の形態に限定されるものではない。
【０００７】
本発明における光回折構造を有する画像の形成方法は、光回折構造転写シート（５０）、光回折構造（５１ｂ）を含む光回折構造層（５１）を被転写体（１００）へその被転写体の特定領域（３２、４２）を避けて転写する光回折構造転写工程と、可視光下では視認できないインクで構成された不可視インク部を含むインク層（３６）が基材シート（３４）上に積層されたインク転写シート（３３）から、前記インク層を前記特定領域へ転写するインク転写工程と、を有することにより、上記の課題を解決する。
【０００８】
本発明によれば、可視光線下では視認できないインクで構成された不可視インク部を有するインク層によって画像が形成されるため、可視光線下では視認できない情報を付加することができる。更にインク層が転写される特定領域には、光回折構造層は転写されないため、インク層が光回折構造層上に設けられることにより目立つインク層のエッジを目立たなくすることができ、特にインク層全体がほとんど透明の場合、インク層の存在を一見して視認できないようにすることができる。インク転写工程における転写は、インク層のみを転写する場合とインク層と共に他の層を転写する場合とを含み、光回折構造転写工程における転写は、光回折構造層のみを転写する場合と光回折構造層と共に他の層を転写する場合とを含む。
【０００９】
「可視光線下で視認できないインク」とは、可視光線以外の光線下で蛍光や発色等することにより視認できるようになるいわゆるステルスインクをいう。「不可視インク部」は、インク層全体であってよいし、所定の形状でインク層に含まれてもよい。不可視インク部がインク層全体の場合は、可視光線以外の光線下で特定領域全体が例えば蛍光する。
【００１０】
不可視インク部が所定の形状に構成された場合は、可視光線以外の光線下で特定領域内に当該形状が視認できるようになる。光回折構造転写工程とインク転写工程との順序は問わない。「光回折構造」には、一定の凹凸パターンの繰り返しであるいわゆる回折格子と、所定の形状を表現する干渉縞で構成されるいわゆるホログラムとを含む。
【００１１】
前記インク転写工程にて前記インク層が転写された後に、前記光回折構造転写工程にて、前記光回折構造層を転写してもよい。この場合、前記基材シート上には前記インク層を含む転写層（３７）が積層され、前記インク転写工程にて、前記転写層の表面に離型剤が含有されている層が残るように、前記転写層を前記被転写体へ転写してもよい。これにより、転写層の表面には離型剤が含有されているため、当該表面には光回折構造層が接着しない。従って、転写層が既に転写されている領域を避けて光回折構造層を容易に転写することができる。
【００１２】
一方、前記光回折構造転写工程にて前記光回折構造層が転写された後、前記インク転写工程にて前記インク層を転写してもよい。これにより、光回折構造が転写されていない特定領域を埋めるようにインク層を転写すればよい。また、前記特定領域は線状の形状を有してもよい。これにより、特定領域は幅が狭く隙間のような形状であるため、インク層が可視光線下で透明であれば、その存在の確認が更に困難となる。更に、特定領域を文字の形状にすれば、ステルスインクの存在に加えて文字情報を付加することができるので、更に高度なセキュリティ性を提供することができる。
【００１３】
また、本発明は、可視光線下では視認できないインクで構成された不可視インク部を含むインク層（３６）が特定領域に設けられ、かつ光回折構造を含む光回折構造層（５１）が前記特定領域を避けるように設けられている画像を有する記録物（Ａ）として具現化されてもよい。
【発明の効果】
【００１４】
以上説明したように、本発明によれば、被転写体の特定領域を避けて光回折構造層を転写し、当該特定領域へ可視光線下では視認できないインクで構成された不可視インク部を有するインク層を転写することにより、可視光線下で一見しただけでは模倣できない高度なセキュリティを提供する光回折構造を有する画像の形成方法等を提供することができる。
【発明を実施するための最良の形態】
【００１５】
図１は、本形態における画像形成方法によって最終的に得る光回折構造を有する最終画像１を有する記録物Ａである。記録物Ａの形態としては、シール、カード、紙幣等種類を問わない。本形態における記録物Ａは、最終画像１が被転写体の表面一面、更には両面に設けられている。
【００１６】
最終画像１は、ホログラム転写部１０、第１回折格子転写部２０、第２回折格子転写部３０、及び第３回折格子転写部４０とで構成される。ホログラム転写部１０には「Ａ」の形状に計算機ホログラムが施されている。第１回折格子転写部２０は熱転写で文字が印刷された熱転写情報部２１と回折格子が横縞状に転写された横縞転写部２２ａと文字状に転写された文字転写部２２ｂとを含んでいる。第２回折格子転写部３０は、回折格子が転写された転写部３１と回折格子が文字状に転写されていない部分である非転写部３２とを含む。第３回折格子転写部４０も第２回折格子転写部３０と同様に転写部４１と非転写部４２とを含む。第３回折格子転写部４０の構成及び形成方法は第２回折格子転写部３０と同様であるため、第３回折格子転写部３０について説明は省略する。
【００１７】
本形態では図２（ａ）〜（ｃ）に示す各熱転写シートを熱転写プリンターのサーマルヘッドで後述するように加熱することにより、最終画像１を形成する。以下、実施形態の説明では、熱転写で印字されたパターン上に更にホログラムが転写可能なシートを可視転写シート、転写不可能なシートを不可視転写シートと例示するが、どこに可視、不可視でもよい。図２（ａ）に示す熱転写シート２３は、基材シート２４上に転写層２７が積層され、転写層２７は剥離層２５と可視インク層２６とで構成される。熱転写シート２３は、熱転写情報部２１を形成するために使用される。剥離層２５と基材シート２４とが分離され、転写層２７が被転写体へ熱転写される。可視インク層２６は可視光線で視認できるインクで構成されている。剥離層２５は基材シート２４と可視インク層２６の剥離性を高めるために設けられているが、離型剤は含まれていない。このため、可視インク層２６は被転写体に対して十分な接着性を有している。以下、この熱転写シート２３を可視転写シート２３という。
【００１８】
図２（ｂ）に示す熱転写シート３３は、基材シート３４上に転写層３７が積層され、転写層３７は剥離層３５と不可視インク層３６とで構成される。熱転写シート３３は、非転写部３２、４２を形成するために使用される。不可視インク層３６は可視光線では視認できないいわゆるステルスインクで構成されている。剥離層３５は可視光下で透明であり、離型剤が含まれている。以下、この熱転写シート３３を不可視転写シート３３という。不可視転写シート３３を構成する各層３４、３５、３６について更に詳細に説明する。
【００１９】
不可視インク層３６はバインダー樹脂と蛍光剤とで構成され、蛍光剤は無機蛍光色素でも有機蛍光色素であってもよい。不可視インク層３６は、蛍光剤、バインダー樹脂、その他の添加剤等を添加したインクをグラビアコート等の公知の塗工手段を用いて塗布形成するこことができる。
【００２０】
本発明において使用する有機蛍光色素としては、バインダー樹脂に溶解して、常態では無色であることが望ましい。ジアミノスチルベンジスルホン酸誘導体、イミダゾール誘導体、クマリン誘導体、トリアゾール、カルバゾール、ピリジン、ナフタル酸、イミダゾロン等の誘導体、フルオレセイン、エオシン等の色素、アントラセン等のベンゼン環を持つ化合物などが挙げられる。具体的には可視光で無色の蛍光染料としては、ＥＢ−５０１（三井化学（株）製、発光色：青色）、ＥＧ−３０２（三井化学（株）製、発光色：黄緑色）、ＥＧ−３０７（三井化学（株）製、発光色：緑色）、ＥＲ−１２０（三井化学（株）製、発光色：赤色）、ＥＲ−１２２（三井化学（株）製、発光色：赤色）、蛍光増白剤と呼ばれるユビテックスＯＢ（チバガイギー社製、発光色：青色）、ユーロピウム−テノイルトリフルオロアセトンキレート（シンロイヒ（株）、赤橙色）等を挙げることができる。
【００２１】
有機蛍光色素の不可視インク層３６への添加量は、性能上の要求に応じて任意に決定すればよく、特に制約はないが、有機蛍光色素とバインダー樹脂との相溶性が高くない場合は、あまり有機蛍光色素の配合比を大きくすると、層中で蛍光色素が析出したりする弊害が生じる。そのため蛍光色素の配合割合は、不可視インク層全体の０．０１〜５０重量％程度が好ましく、さらには０．１〜２０重量％程度が好ましい。
【００２２】
また無機蛍光色素としては、Ｃａ、Ｂａ、Ｍｇ、Ｚｎ、Ｃｄなどの酸化物、硫化物、ケイ酸塩、リン酸塩、タングステン酸塩などの結晶を主成分とし、Ｍｎ、Ｚｎ、Ａｇ、Ｃｕ、Ｓｂ、Ｐｂなどの金属元素もしくはランタノイド類などの希土類元素を活性剤として添加して焼成して得られる顔料を用いることができる。具体的には、ＺｎＯ：Ｚｎ、Ｂｒ（ＰＯ）Ｃｌ：Ｅｕ、ＺｎＧｃＯ：Ｍｎ、ＹＯ：Ｅｕ、Ｙ（Ｐ、Ｖ）Ｏ：Ｂｕ、ＹＯＳｉ：Ｅｕ、ＺｎＧｃＯ：Ｍｎ等、および主に赤外線を吸収し、アップコンバージョン発光する希土類元素含有微粒子を例示できる。
【００２３】
バインダー樹脂と前記の無機蛍光色素の使用割合は、採用する無機蛍光色素の種類によって変化するが、一般的には樹脂／無機蛍光色素の重量比が１／０．５〜１／２０、好ましくは１／５〜１／１０である。蛍光材料の使用量が少なすぎると形成される層の発光性が充分ではなく、又、サーマルヘッド等での転写時における箔切れが良くない。一方、蛍光材料の使用量が多すぎると被膜形成性が劣る。
【００２４】
バインダー樹脂は、エチルセルロース、エチルヒドロキシセルロース、ヒドロキシプロピルセルロース、メチルセルロース、酢酸セルロース等のセルロース系樹脂、ポリビニルアルコール、ポリ酢酸ビニル、ポリビニルブチラール、ポリビニルアセタール、ポリビニルピロリドン等のビニル系樹脂、ポリ（メタ）アクリレート、ポリ（メタ）アクリルアミド等のアクリル系樹脂、ポリウレタン樹脂、ポリアミド樹脂、ポリエステル系樹脂、これらの樹脂の混合物等が挙げられる。バインダー樹脂としては、ポリビニルブチラール、ポリビニルアセタールが、蛍光色素の移行性及び転写フィルムとした場合の保存安定性が良好であることから好ましい。不可視インク層３６の厚さは０．１〜５．０ｇ／ｍ２ に形成するのが好ましい。
【００２５】
剥離層３５は、不可視インク層３６の基材シート３４からの剥離を容易にするために儲けられ、使用される樹脂としては、例えば、アクリル樹脂、ウレタン樹脂、これらの各樹脂をシリコーン変性させた樹脂、ポリビニルアセタール樹脂、ポリビニルアルコール樹脂、もしくはそれらの混合物などが挙げられる。これらの樹脂を溶剤に溶解して塗工液を作製し、該塗工液を塗布および乾燥して剥離層３５が形成される。剥離層３５の厚みは約０．１〜５．０μｍ程度である。
【００２６】
基材シート３４は、転写の際の熱に対する耐熱性と、ある程度の強度を有し寸法安定性のあるものであればよく、例えば、紙、各種加工紙、プラスチックフィルム等が用いられる。プラスチックフィルムの材質としては、ポリエチレンテレフタレート等のポリエステル、ポリスチレン、ポリプロピレン、ポリサルホン、ポリフェニレンサルファイド、ポリエチレンナフタレート、１，４−ポリシクロヘキシレンジメチルテレフタレート、アラミド、ポリカーボネート、ポリビニルアルコール、セロファン等が挙げられる。耐熱性基材フィルム２の厚さは、０．５〜５０μｍが好ましく、より好ましくは３〜１０μｍである。また好ましい材質は、ポリエチレンテレフタレートフィルムである。
【００２７】
図２（ｃ）に示す熱転写シート５０は、ホログラム転写部１０、横縞転写部２２ａ、文字転写部２２ｂ及び転写部３１、４１を形成するために使用され、光回折構造層としてのホログラム層５１、剥離層５２、及び基材シート５３が順に積層されている。以下、この熱転写シート５０を光回折構造転写シート５０という。
【００２８】
ホログラム層５１は、図３に示すように、計算機ホログラムで形成された「Ａ」の字を含むホログラム部５１ａが一定間隔で設けられ、その周囲一面には回折格子で構成される回折格子部５１ｂが設けられている。ホログラム部５１ａは熱転写されることによりホログラム転写部１０を形成し、回折格子部５１ｂは熱転写されることにより、横縞転写部２２ａ、文字転写部２２ｂ及び転写部３１、４１を形成する。点線５１ｃで示す範囲は、最終画像１の大きさを示している。尚、点線５１ｃは説明のために示されたものであり、実際にホログラム層５１に施す必要はない。
【００２９】
ホログラム層５１に設けられたホログラム部５１ａ及び回折格子部５１ｂの干渉縞は、表面に凹凸パターンを有するレリーフとして記録されているもの、厚み方向に立体的に記録されているもの、又は透過率の変化による光の振幅の変化で回折が起こるように記録されているもののいずれであってもよい。具体的には、フレネルホログラム、イメージホログラム等のレーザー再生ホログラム、リップマンホログラム、レインボーホログラム等の白色光再生ホログラム、これらの原理を利用したホログラフィックスステレオグラム、カラーホログラム等がある。
【００３０】
これらのホログラムは従来既知の方法によって、図３に示すホログラム層５１を形成するように製造すればよい。尚、ホログラム層５１を構成する材料は被転写体へ転写される際に、下に位置する情報が完全に隠蔽されないような大きさ（ドット）、網かけされたドットパターン、あるいはその組み合わせで印字することにより当該情報を完全に隠蔽することがないので、透明である必要はない。
【００３１】
剥離層５２は、ホログラム層５１と基材シート５３との剥離性を高めるために設けられている。構成する材料は基材シート５３に応じて適宜決めればよい。上述した各熱転写シート２３、５０の基材シート２４、５３は、ある程度の剛性と耐熱性を有するものであればよい。各熱転写シート２３、３３、５０全体の厚みは、サーマルヘッドからの熱伝導が阻害されない程度の厚みであればよい。
【００３２】
以下、上述した熱転写シート２３、３３、５０を用いて、最終画像１を形成する方法を順を追って説明する。まず、最初に被転写体１００上に可視転写シート２３を使用して図４（ａ）に示すような特定の形状としての日付情報「２００４／１２／３０」で示される熱転写情報部２１を形成する。可視転写シート２３の可視インク層２６と被転写体１００とが重ね合わさるように、可視転写シート２３を被転写体１００の表面に対向させ、基材シート２４側からサーマルヘッドを当て、当該日付情報が被転写体１００上に形成されるように加熱位置を移動させる。被転写体１００は、最終的に得る記録物に応じて適宜決めればよい。
【００３３】
これにより、転写層２７である剥離層２５及び可視インク層２６が基材シート２４から分離されて、日付情報を形成するように被転写体１００の表面に転写される。可視転写シート２３は加熱されると剥離層２５から分離されるため、転写先の被転写体１００上では図４（ｂ）に示すように、離型剤を含まない剥離層２５が最表面となる。以上の方法によって、熱転写情報部２１が形成される。
【００３４】
次に、被転写体１００に対して、不可視転写シート３３を使用することにより、図５（ａ）に示す「ＤＮＰ」の文字情報で示される非転写部３２を形成する。不可視転写シート３３の不可視インク層３６と被転写体１００の表面とが重ね合わさるように不可視転写シート３３を被転写体１００に対向させる。基材シート３４側からサーマルヘッドを当て、当該文字情報が被転写体１００上に形成されるように加熱位置を移動させる。これにより、転写層３７としての剥離層３５及び不可視インク層３６が基材シート３４から剥離されて被転写体１００へ文字情報を形成するように転写される。
【００３５】
不可視転写シート３３は加熱されると転写層３７が剥離層３５から分離されるため、転写先の被転写体１００上では図５（ｂ）に示すように、離型剤を含む剥離層３５が最表面となる。以上の方法によって、非転写部３２が形成される。尚、図５（ａ）における非転写部３２の文字情報「ＤＮＰ」は説明の便宜上可視状態で示してあるが、剥離層３５は可視光線下で透明であり、不可視インク層はステルスインクで構成されるため、実際は可視光線下では視認できない。非転写部４２も非転写部３２と同様の方法によって形成する。
【００３６】
次に、熱転写情報部２１と非転写部３２、４２が形成された被転写体１００に対して、光回折構造転写シート５０を使用することにより、ホログラム転写部１０、横縞転写部２２ａ、文字転写部２２ｂ及び転写部３１、４１を形成する。光回折構造転写シート５０のホログラム層５１を被転写体１００の表面に重ねる。光回折構造転写シート５０の位置は、転写するホログラム部５１ａの位置が被転写体１００上でホログラム転写部１０が形成されるべき位置になるように設定する。
【００３７】
このように光回折構造転写シート５０を位置させることにより、光回折構造転写シート５０の点線５１ｃで示した範囲と、被転写体１００上に形成されるべき最終画像１の範囲とが一致する。従って、被転写体１００の横縞転写部２２ａ、文字転写部２２ｂ及び転写部３１、４１が形成されるべき範囲には、光回折構造転写シート５０の回折格子部５１ｂが重なる。サーマルヘッドを基材シート５３側から当て、ホログラム部５１ａが転写されるように加熱位置を移動させる。ホログラム部５１ａが転写された被転写体１００を図６に示す。
【００３８】
続いて、横縞転写部２２ａ及び文字転写部２２ｂを形成する。上述したように、光回折構造転写シート５０の回折格子部５１ｂが、被転写体１００の横縞転写部２２ａ及び文字転写部２２ｂが形成されるべき範囲に重なっている状態なので、光回折構造転写シート５０の位置は移動させなくてよい。横縞転写部２２ａが形成されるべき範囲では、回折格子部５１ｂの回折格子が横縞状に転写されるようにサーマルヘッドの加熱位置を移動させ、かつ文字転写部２２ｂが形成されるべき範囲では、回折格子が文字情報「ＨＯＬＯ」を形成するように移動させる。横縞転写部２２ａ及び文字転写部２２ｂが被転写体１００上に形成された状態を図７に示す。
【００３９】
熱転写情報部２１では、上述したように、最表面の剥離層２５に離型剤が含まれていないため、図８（ａ）に示すように、転写された回折格子部５１ｂが熱転写情報部２１の剥離層２５の上に転写される。従って、回折格子部５１ｂは被転写体１００上に既に形成されている熱転写情報部２１上にも横縞状に形成される。以上により、第１回折格子転写部２０が形成される。尚、回折格子部５１ｂは熱転写情報部２１上に横縞状に形成されるので、回折格子部５１ｂは透明でないが熱転写情報部２１を全て隠蔽することはない。
【００４０】
続いて、転写部３１を形成する。横縞転写部２２ａ及び文字転写部２２ｂと同様の理由により、光回折構造転写シート５０の位置は移動させなくてよい。転写部３１が形成されるべき範囲に、回折格子部５１ｂの回折格子が転写されるようにサーマルヘッドの加熱位置を移動させる。この際、非転写部３２へは転写を避けなくてもよい。非転写部３２では、上述したように最表面にある剥離層３５に離型剤が含まれているため、非転写部３２上には回折格子が転写されないからである。
【００４１】
これにより、図８（ｂ）に示すように、非転写部３２を避けた状態で回折格子部５１ｂが転写される。従って、被転写部３２である文字情報「ＤＮＰ」の部分へは回折格子部５１ｂは転写されない。上述したように、非転写部３２の文字情報「ＤＮＰ」は可視光線下で透明であるため、「ＤＮＰ」の文字部分には何もなく隙間があいているような状態になる。これにより、第２回折格子転写部３０が形成される。第３回折格子転写部４０の形成方法は上述した第２回折格子転写部３０の形成方法と同様である。以上の手順によって、最終画像１を被転写体１００上に形成することができる。被転写体１００全面に可視転写シート２３で印字後、通常の３色プリントをする工程で、不可視転写シート３３若しくは光回折構造体転写シート５０でこの順若しくはこの逆の順で印字することによって、最終画像１を被転写体１００上に形成してもよい。
【００４２】
本発明は、上述した形態に限らず種々の形態で実施してよい。例えば、本形態では最終画像１は記録物Ａの全体に形成されたが、記録物Ａの一部でもよい。また、熱転写のための加熱方法は、サーマルヘッドに限らず網点転写ができるものであればよく、例えばレーザー光でもよい。その場合は、各熱転写シートに光熱変換機能を持たせた層を設ける必要がある。本形態では全ての転写を熱転写方式で行ったが、非転写部３２、４２及び光回折構造に関する画像２２ａ、２２ｂ、３１、４１の形成は熱転写方式でなくてもよい。
【００４３】
各熱転写シート２３、３３、５０には、サーマルヘッド等の加熱素子との融着を防止したり、給紙性を改良するために基材シート２４、３４、５３の外側に背面層を設けても良い。また、背面層により転写フィルムをロール状に巻とったり、シート状物を積み重ねたりした際に、背面が蛍光インク層等の表面層に接着するのを防止することができる。背面層は、耐熱滑性、離型性を有することが好ましい。背面層の材質として、硬化性シリコーンオイル、硬化性シリコーンワックス、シリコーン樹脂、フッ素樹脂、アクリル樹脂等の剥離性を有する材料が挙げられる。背面層の厚さは通常０．１〜３．０μｍに形成される。
【００４４】
更に、本発明が実施可能な限りにおいて、上述した層の他に更に層が積層されてもよい。例えば、各熱転写シート２３、３３、５０の最上部に被転写体１００に対応した接着層を設けても良い。
【００４５】
文字転写部２２ｂは文字情報に限らず、記号や模様等の所定の形状でもよい。また、回折格子５１ｂが転写されて所定の形状を形成する箇所は、１箇所に限らない。熱転写情報部２１に加えて可変情報を増やすことができ、使用目的が拡張すると共にセキュリティ性も高くなる。また、ホログラム転写部１０、第１回折格子転写部２０、第２回折格子転写部３０及び第３回折格子転写部４０に示される各模様や文字は、上述した態様に限らない。
【００４６】
また、第２回折格子転写部３０及び第３回折格子転写部４０の形成は、先に非転写部３２、４２の形状を避けるように回折格子部５１ｂを転写してもよい。この場合は、非転写部３２、４２の形状に隙間が形成されるので、その隙間にステルスインクを入れればよい。後からステルスインクを入れる場合は非転写部３２、４２の最表面に離型剤が含まれていなくてもよい。勿論、ステルスインクでなく、通常の可視インクを用いて印字しても良い。
【図面の簡単な説明】
【００４７】
【図１】本形態において形成する記録物に施された最終画像を示す図。
【図２】（ａ）〜（ｃ）のそれぞれは図１に示す最終画像を得るために使用される熱転写シートの断面図。
【図３】図２（ｃ）に示す光回折構造転写シートのホログラム層を示す図。
【図４】（ａ）は熱転写情報部が形成された被転写体を示す図であり、（ｂ）は被転写体上に形成された熱転写情報部の断面図を示す図。
【図５】（ａ）は熱転写情報部及び非転写部が形成された被転写体を示す図であり、（ｂ）は被転写体上に形成された非転写部の断面図を示す図。
【図６】ホログラム部が形成された被転写体を示す図。
【図７】第２回折格子転写部が形成された被転写体を示す図。
【図８】（ａ）は熱転写情報部上に回折格子が転写された状態を示す断面図であり、（ｂ）は非転写部を避けるように回折格子が被転写上に転写された状態を示す断面図。
【符号の説明】
【００４８】
１      最終画像
３２、４２    特定領域
３３    インク転写シート
３６    インク層
５０    光回折構造転写シート
５１ｄ  光回折構造
５１    光回折構造層
１００  被転写体
Ａ      記録物
【図１】
2005288868.tif 000003
【図２】
2005288868.tif 000004
【図３】
2005288868.tif 000005
【図４】
2005288868.tif 000006
【図５】
2005288868.tif 000007
【図６】
2005288868.tif 000008
【図７】
2005288868.tif 000009
【図８】
2005288868.tif 000010